(57)【特許請求の範囲】
【請求項１】
メニューキーを用いてオーダーメニューを入力するハンディターミナルにおいて、
本体を見開き可能な一方扉体と他方扉体から形成し、他方扉体の内面に形成された固定操作部に前記メニューキーの一部を形成し、かつ押圧操作で前記オーダーメニューを入力可能な固定メニューキーを配設し、
一方扉体の内面に形成された表示操作部に前記メニューキーの一部を形成する表示メニューキーを表示可能かつこの表示メニューキーのタッチ操作で前記オーダーメニューを入力可能なタッチパネル付き表示器を設けるとともに、
各固定メニューキーの使用頻度を検出する使用頻度検出手段と，
この使用頻度検出手段により、使用頻度の高い固定メニューキーが検出された場合に当該固定メニューキーに対応する表示メニューキーを当該表示メニューキーが表示されていない表示操作部に表示する表示制御手段とを設け、
入力頻度の多いオーダーメニューについては前記表示操作部に表示されかつ対応する固定メニューキーよりも平面的面積が大きな表示メニューキーを用いて入力可能に形成されているハンディターミナル。
【請求項２】
前記メニューごとに前記表示制御手段を働かせるか否かを選択設定可能に形成されている請求項１記載のハンディターミナル。
【請求項３】
前記表示制御手段により表示された表示メニューキーを表示消滅選択要求により表示消滅できるように形成されている請求項１または２記載のハンディターミナル。
【発明の詳細な説明】
【０００１】
【発明の属する技術分野】
本発明は、使用頻度の高い固定メニューキーを取扱い容易な表示メニューキーに切り替えかつ当該表示メニューキーを用いてオーダーメニューを入力することができるハンディターミナルに関する。
【０００２】
【従来の技術】
従来のオーダーデータ処理装置は、図９に示すように、オーダーメニューを入力する複数のハンディターミナル１０Ｐと，入力されたオーダーデータを管理するオーダー管理手段７０（無線親局７８）と，オーダーデータについて会計処理を行う会計手段９０とから構成され、さらに伝票発行用プリンタ８０と厨房４００に配設されたキッチンプリンタ８５とを設けている。会計手段９０は、店舗出入口（会計所）３００に配設されている。
【０００３】
かくして、係員ＷＲＫは、客室１００内の各テーブル１０１を廻って、携帯するハンディターミナル１０Ｐを用いて各客ＣＳＴのオーダーメニューを含むオーダーデータを順番に入力する。オーダーデータには、テーブル番号，人数等が含まれる。
【０００４】
オーダーデータは、オーダー管理手段７０で管理されるとともに、この手段７０を介して両プリンタ８０，８５に転送される。厨房４００ではキッチンプリンタ８５から発行されたオーダー伝票に基き調理を開始する。伝票発行用プリンタ８０から発行されたカスタマー伝票は、当該係員ＷＲＫによって当該客ＣＳＴが着席するテーブル１０１に置かれる。
【０００５】
係員ＷＲＫは、ときどき厨房４００を覗き、自己担当の調理済メニューがあると、これを当該客ＣＳＴへ配膳しカスタマー伝票に手書きチェックを入れる。
【０００６】
飲食後の客ＣＳＴからカスタマー伝票を受取ったキャッシャーが、会計手段９０を用いて伝票番号等を入力すると、当該オーダーデータがオーダー管理手段７０からデータ通信回線７９を介して転送されてくる。そして、そのオーダーデータについて会計処理する。かくして、多数客の多数オーダーメニューについて正確に管理処理できるとともに店舗実稼動率を高められる。
【０００７】
ここに、従来のハンディターミナル１０Ｐは、図１０に示す如く、本体１５ＢＰの正面の大部分に複数の押圧操作型の固定メニューキー６１ＫＰを有する固定メニューキー部６０Ｐを配置し、その上部に表示部４９Ｐを設けた構造とされている。
【０００８】
また、図１１に示すように、本体をヒンジ１９Ｐで連結された２枚扉体構造（１１Ｐ，１５Ｐ）として、それぞれに固定メニューキー部６０Ｐ２，６０Ｐ１と表示部４９Ｐ２，４９Ｐ１とを設け、固定メニューキー６１ＫＰを２倍数に増大したものがある。
【０００９】
【発明が解決しようとする課題】
ところで、オーダーデータ入力を迅速かつ正確に行うことが業務能率の向上に直結する。
【００１０】
しかるに、従来のハンディターミナル（図１０，図１１）は、各固定メニューキー６１ＫＰ１（６１ＫＰ２）が固定配設されかつ各固定メニューキー６１ＫＰ（６１ＫＰ２）に当該各メニューが割付けられている。しかも、各ハンディターミナルのキーレイアウトつまり複数メニューキーの組合せは画一的である。
【００１１】
したがって、ハンディターミナルを携帯する各係員の担当部署，時間帯等々によって、当該時におけるキー使用範囲が限定されるのにも拘わらず、全範囲的な多数のメニューキーの中からオーダーされたメニューキーを選択しかつ押圧操作しなければならないので、手間と時間が掛かり、ミス操作が生じ易い。
【００１２】
つまり、運用の実際上、業務能率に大差が生じる。絶対キー数が多いほど能率低下が顕著である。例えば、昼食時間帯では、頻繁に使用するメニュー（“定食”）キー６１ＫＰが集中しかつ他の不使用メニューキーが存在しなければ、飛躍的に迅速入力できる筈である。特に、図１１に示すハンディターミナルの場合は、当該時に不必要なメニューキー６１ＫＰが多いので、より一段と取り扱いが難しい。
【００１３】
かくして、従来は平均的な係員をベースに各固定メニューキー６１ＫＰのレイアウトが決定されているので、総合的（全店舗，全係員）な業務能率の低下が余儀なくされていた。
【００１４】
本発明の目的は、オーダーメニューを迅速かつ正確に入力できかつ取扱い容易なハンディターミナルを提供することにある。
【００１５】
【課題を解決するための手段】
請求項１の発明は、メニューキーを用いてオーダーメニューを入力するハンディターミナルにおいて、本体を見開き可能な一方扉体と他方扉体から形成し、他方扉体の内面に形成された固定操作部に前記メニューキーの一部を形成し、かつ押圧操作で前記オーダーメニューを入力可能な固定メニューキーを配設し、一方扉体の内面に形成された表示操作部に前記メニューキーの一部を形成する表示メニューキーを表示可能かつこの表示メニューキーのタッチ操作で前記オーダーメニューを入力可能なタッチパネル付き表示器を設けるとともに、各固定メニューキーの使用頻度を検出する使用頻度検出手段と，この使用頻度検出手段により、使用頻度の高い固定メニューキーが検出された場合に当該固定メニューキーに対応する表示メニューキーを当該表示メニューキーが表示されていない表示操作部に表示する表示制御手段とを設け、入力頻度の多いオーダーメニューについては前記表示操作部に表示されかつ対応する固定メニューキーよりも平面的面積が大きな表示メニューキーを用いて入力可能に形成されているハンディターミナルである。
【００１６】
本発明によれば、固定操作部に配設された固定メニューキーを用いてメニューを入力する。この入力状況を通じ、使用頻度検出手段が、使用頻度の高い固定メニューキーを検出する。すると、表示制御手段が、当該固定メニューキーに対応しかつ当該固定メニューキーよりも平面的面積が大きい表示メニューキーを表示操作部に表示する。以降は、当該固定キーに代えた表示メニューキーを用いて当該メニューを入力することができる。
【００１７】
したがって、本発明によれば使用頻度の高いメニューキーについて大きな表示メニューキーに切り替えられるから、取り扱いが簡単で、オーダーの多いメニューを迅速かつ正確に入力することができる。すなわち、メニュー入力業務能率を向上できる。
【００１８】
さらに使用頻度検出手段の検出頻度を設定変更すれば、例えば店内頻忙時でかつ特定のメニューが集中的にオーダーされる場合に、大きな表示メニューキーのみを用いてメニュー入力を行うことができる。すなわち、適応性が広くかつ取り扱いがより簡単である。
【００１９】
また、本発明では、予めまたはその都度に使用頻度検出手段で検出すべき使用頻度を設定しておく。使用に際しては、本体を見開き状態としかつ例えば左手で一方扉体を表示操作部（タッチパネル付き表示器）が上方に向く状態として持つ。そして、他方扉体の内面に設けられた固定操作部の固定メニューキーを押圧操作してオーダーメニューの入力を行う。
【００２０】
この入力状況を通じ、使用頻度検出手段が、使用頻度の高い固定メニューキーを検出する。すると、表示制御手段が、当該固定メニューキーに対応しかつ当該固定メニューキーよりも平面的面積が大きい表示メニューキーを表示操作部のタッチパネル付き表示器に表示する。以降は、当該固定キーに代えた表示メニューキーを用いて当該メニューを入力することができる。つまり、左手で支えた一方扉体側の表示メニューキーを右手でタッチ操作しつつメニューを入力することができる。
【００２１】
すなわち、力学的に安定した状態で表示メニューキーのタッチ操作によるメニュー入力をより迅速かつ正確に行える。
【００２２】
さらに、請求項２の発明は、前記メニューごとに前記表示制御手段を働かせるか否かを選択設定可能に形成されているハンディターミナルである。
【００２３】
かかる発明では、使用頻度検出手段で使用頻度が高いと検出された固定メニューキーがあっても、当該メニューが表示させないものと選択設定されている場合には、当該固定メニューキーに対応する表示メニューキーは表示されない。
【００２４】
したがって、請求項１の発明の場合と同様な作用効果を奏することができることに加え、さらに例えば使用頻度が高いと検出すべき設定入力回数の絶対値を小さくして昼食時間帯に定食を表示メニューキーに切り替えて運用しようとする場合に、切り替え直後に例外的に続けて入力された例えばビールについて表示メニューキーに切り替えられてしまう事態を回避できるから表示メニューキーの表示領域を有効利用できるとともに、実際に即した運用ができる。
【００２５】
請求項３の発明は、前記表示制御手段により表示された表示メニューキーを表示消滅選択要求により表示消滅できるように形成されている請求項１または２記載のハンディターミナルである。
【００２６】
請求項３の発明によれば、表示消滅選択要求により、表示メニューキーを消滅できる。
【００２７】
【発明の実施の形態】
以下、本発明の実施形態について図面を参照して説明する。本ハンディターミナル１０は、図１〜図３に示す如く、本体を見開き可能な一方扉体１１と他方扉体１５から形成し、他方扉体１５の内面１５Ｉに形成された固定操作部（６０）にメニューキーの一部を形成しかつ押圧操作でオーダーメニューを入力可能な固定メニューキー６１Ｋを配設し、一方扉体１１の内面１１Ｉに形成された表示操作部（４１Ｇ）にメニューキーの一部を形成する表示メニューキー４１Ｋを表示可能かつこの表示メニューキー４１Ｋのタッチ操作でオーダーメニューを入力可能なタッチパネル付き表示器４０を設けるとともに、各固定メニューキー６１Ｋの使用頻度を検出する使用頻度検出手段（２１，２２）と，使用頻度の高い固定メニューキーが検出された場合に当該固定メニューキー６１Ｋに対応する表示メニューキー４１Ｋを表示操作部（４１Ｇ）に表示する表示制御手段（２１，２２）とを設け、入力頻度の多いオーダーメニューについては表示操作部（４１Ｇ）に表示されかつ対応する固定メニューキー６１Ｋよりも平面的面積が大きな表示メニューキー４１Ｋを用いて入力可能に形成されている。
【００２８】
本ハンディターミナル１０は、従来例（図９R>９）の場合と同様なオーダーデータ処理装置のハンディターミナルとして利用される。ただし、この実施形態では、図１〜図４にハンディターミナル１０の構成を示し、オーダーデータ処理装置を構成する他の構成要素（オーダー管理手段，プリンタ，会計手段等）については、図示省略した。
【００２９】
図１，図２において、ハンディターミナル１０は、見開き可能な一方扉体（本体）１１と他方扉体（本体）１５とからなる。一方扉体１１内には、全体構成を概念的に示す図３の制御部（ＣＰＵ２１，ＲＯＭ２２，ＲＡＭ２３）２０と，センサ（ＳＮＲ）部３０と，無線通信部（ＷＬＴ）３５と，タッチパネル付き表示器４０用の駆動制御回路（Ｉ／Ｆ）４０Ｄと，固定キー部５０用の駆動制御回路（Ｉ／Ｆ）５０Ｄと，固定メニューキー部６０用の駆動制御回路（Ｉ／Ｆ）６０Ｄとが、格納されている。
【００３０】
ＲＡＭ２３は、データ処理作業領域を形成する他、メニューテーブル２３ＭＴ，オーダ−テーブル２３ＯＴおよび対応キーテーブル２３ＫＴを形成する。この対応キーテーブル２３ＫＴには、図４に示すように、固定メニューキー６１Ｋに対応させた表示メニューキー４１Ｋが記憶されている。また、この実施形態では、表示選択設定欄，使用頻度（入力回数Ｎ）欄，設定使用頻度（設定入力回数Ｎｓ）欄が設けられている。
【００３１】
また、この実施形態では、具体的なメニュー入力頻度の多い表示メニューキー４１Ｋを表示させること、他方扉体１５側よりも重くなることおよびこの実施形態では右利き用に設計してあることから、この一方扉体１１を手持ち側としてある。
【００３２】
かくして、メニュー入力を安定して行えるとともに、信号線の多いタッチパネル付き表示器４０とその駆動制御回路（Ｉ／Ｆ）４０Ｄとを近接位置できるので性能を高められる。しかも、外部ノイズの影響や電力ロスを軽減できる。
【００３３】
本体（１１，１５）の見開き状態を示す図１R>１において、右側他方扉体１５の内面１５Ｉの大部分には、複数の固定メニューキー６１Ｋを有する固定メニューキー部（固定操作部）６０が設けられ、その上方部に覗き窓１７が設けられている。覗き窓１７は、透明プラスチック製である。
【００３４】
固定メニューキー６１Ｋの数は、固定メニューキー６１ＫＰを採用する従来例（図１０，図１１）の場合と同様な数である。大きさ（平面的面積）も同様な大きさである。したがって、固定メニューキー６１Ｋを用いたメニュー入力作業については、従来例の場合と同様と言える。
【００３５】
この他方扉体１５とヒンジ１９を介して見開き可能に連結された一方扉体１１の内面１１Ｉの大部分には、タッチパネル付き表示器４０（表示面４１Ｇ）が取り付けられている。この表示面４１Ｇは、表示操作部を形成する。
【００３６】
すなわち、表示面４１Ｇには、多数の表示メニューキー４１Ｋを切替え表示することができる。各表示メニューキー４１Ｋの平面的面積（大きさ）は、固定メニューキー６１Ｋの平面的面積よりも大きくされている。
【００３７】
例えば、図７に示す固定メニュー（“Ａ１”＝“Ａ定”…Ａ定食）キー６１Ｋよりも、これに対応する表示メニュー（“Ａ定”）キー４１Ｋの方が平面的面積が大きい。迅速かつ正確なメニュー（“Ａ定”）入力を行える。
【００３８】
つまり、一般的に、各キーの大きさ（平面的面積）が一定でかつ隣接間隔が小さい場合、固定メニューキー６１Ｋの押圧操作の場合よりも、表示メニューキー４１Ｋのタッチ操作の場合の方が、隣接する他の表示メニューキー４１Ｋに触れ易い。しかし、この実施形態では、表示メニューキー４１Ｋの表示個数や隣接間隔、さらには平面的面積の大きさが、自在に切替え可能に形成されているので、かかる従来的懸念を一掃することができる。
【００３９】
また、この実施形態では、タッチパネル付き表示器４０の下方定位置に設けられた固定キー部５０の固定キー５１Ｋを押圧操作して入力された数量（例えば、“２”）も表示される。ただし、数量（“１”）は自動入力とし、数量“２”以上の場合に固定キー５１Ｋを用いて入力するように形成してある。
【００４０】
この固定キー部５０は、オーダーメニュー以外のデータを入力するためのものでかつ入力使用頻度の高い固定キー５１Ｋからなる。この実施形態では、図１，図７に示す“０”〜“９”を入力する置数キー，“Ｔ”と記した伝送キー，“Ｓ”を記した選択設定キー，“Ｅ”と記したエンターキー，“Ｃ”と記したクリアーキー等である。
【００４１】
かくすれば、固定キー５１Ｋを、固定メニューキー６１Ｋと隣接させて他方扉体１５側に設ける場合に比較して、固定キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００４２】
また、図１，図２に示す上方の定位置表示部４２は、閉じた状態を示す図２に示す如く、覗き窓１７に対応する定位置とされている。この定位置表示部４２には、表示メニューキー４１Ｋでない情報が表示される。つまり、図１に示す見開き状態（使用状態）で表示メニューキー４１Ｋを表示可能な部位（４２）に、他の情報を表示することができる。
【００４３】
この実施形態では、呼出しメッセージ，通信エラーメッセージおよびバッテリー情報の３つの情報を表示可能に形成してある。したがって、結果としてミス入力を防止できかつその後のメニュー入力をより確実に行えるとともに、業務能率を向上できる。
【００４４】
ここにおいて、固定メニューキー６１Ｋを押圧操作してメニューを入力（図５のＳＴ１０でＹＥＳ）すると、登録制御手段（ＣＰＵ２１，ＲＯＭ２２）が当該メニューやこれに先立って入力された座席（テーブル番号）等を含むオーダーデータを、オーダーテーブル２３ＯＴに記憶（登録）する（ＳＴ１１）。このオーダーデータは、その後の転送要求でオーダー管理手段（ＳＴＮ）に転送される（図６のＳＴ１９，ＳＴ２０）。
【００４５】
すると、使用頻度検出手段（ＣＰＵ２１，ＲＯＭ２２）が、当該固定メニューキー６１Ｋの使用頻度（この実施形態では、設定入力回数Ｎｓと入力回数Ｎとの比較検出方式）を検出する（ＳＴ１４）。入力回数Ｎは、カウント（Ｎ＝Ｎ＋１）でされる。
【００４６】
また、表示制御手段（ＣＰＵ２１，ＲＯＭ２２）は、使用頻度の高い固定メニューキー６１Ｋが検出された場合に、当該固定メニューキー６１Ｋに対応する表示メニューキー４１Ｋを、表示操作部（表示面４１Ｇ）に表示する（ＳＴ１８）。
【００４７】
使用頻度が高いかどうかは、検出された入力回数Ｎが図４に示す対応キーテーブル２３ＫＴの設定入力回数Ｎｓ以上（ＳＴ１５のＹＥＳ）であるか否かによって判断（ＳＴ１５）される。使用頻度検出手段の機能である。
【００４８】
また、固定メニューキー６１Ｋに対応する表示メニューキー４１Ｋは、抽出手段（ＣＰＵ２１，ＲＯＭ２２）が、図４に示す対応キーテーブル２３ＫＴを検索して抽出する（ＳＴ１６，ＳＴ１７）。
【００４９】
なお、メニューごとに表示制御手段（２１，２２）を働かせるか否かを選択設定可能に形成してある。つまり、対応キーテーブル２３ＫＴの表示選択設定欄にフラグ“０”がセットされている固定メニューキー６１Ｋについては、使用頻度が高くなる場合があっても、当該表示メニューキー４１Ｋを表示しない（ＳＴ１２のＮＯ）。
【００５０】
かくすれば、例えば使用頻度が高いと検出すべき設定入力回数Ｎｓの絶対値を小さくして昼食時間帯に定食メニューを表示メニューキー４１Ｋに切り替えて運用しようとする場合に、昼食時間帯突入直前に例外的に続けて入力された例えばビールについて表示メニューキー４１Ｋに切り替えられてしまう事態を回避できる。すなわち、表示メニューキー４１Ｋの表示領域（４１Ｇ）を有効利用できるとともに、実際に即した運用ができる。
【００５１】
この実施形態では、表示選択設定されていない固定メニューキー６１Ｋを用いたメニュー入力の場合（ＳＴ１３のＮＯ）には、その使用頻度の検出を省略可能に形成してある。制御部２０の処理高速化を担保しつつ負荷軽減を図れる。
【００５２】
なお、選択設定（Ｓ）キー５１Ｋを押圧操作（図６のＳＴ２４のＹＥＳ）しかつ固定メニューキー６１Ｋを押圧操作（ＳＴ２５のＹＥＳ）することによって、当該メニューについての表示選択設定（フラグ“１”）を対応キーテーブル２３ＫＴに記憶可能に形成してある（ＳＴ２６）。
【００５３】
また、表示消滅選択要求（“Ｃ”キー５１Ｋの押圧操作）で、表示メニューキー４１Ｋをタッチ操作（ＳＴ２２のＹＥＳ）することにより、当該表示メニューキー４１Ｋを表示消滅（フラグ“０”）できるように形成してある（ＳＴ２３）。
【００５４】
かかる構成の実施形態では、係員は手持ち側の一方扉体１１を左手で持ち、図１に示すように本体（１１，１５）を見開き状態とする。つまり、ヒンジ１９を中心に、両扉体１１，１５を左右に開く。センサ（ＳＮＲ）部３０がこれを検出する。これにより、定位置表示部４２への情報表示を禁止する。
【００５５】
例えば昼食時間帯において、他方扉体１５側の固定メニューキー（“Ａ１”…“Ａ定食”）６１Ｋが押圧操作（図５のＳＴ１０でＹＥＳ）され、使用頻度検出手段（２１，２２）で検出（ＳＴ１４）された当該入力回数Ｎが図４に示す“１０”になると、Ｎ（＝１０）≧Ｎｓ（１０）と判断（ＳＴ１５のＹＥＳ）される。
【００５６】
すると、表示制御手段（２１，２２）が、図４の対応キーテーブル２３ＫＴから求めた当該固定メニューキー６１Ｋに対応する表示メニュー（“Ａ定”）キー４１Ｋを表示操作部（４１Ｇ）に図７に示す如く表示する（ＳＴ１８）。したがって、使用頻度の高いメニュー（“Ａ定”）を、当該固定メニューキー６１Ｋよりも大きくかつ個別的な表示メニューキー４１Ｋを用いて迅速かつ正確に入力することができる。
【００５７】
なお、図７は、固定メニューキー（“Ａ２”…“Ｂ定食”）６１Ｋの使用頻度がＮ（＝１０）≧Ｎｓ（＝１０）で、固定メニューキー（“Ａ３”…“Ｃ定食”）６１ＫもＮ（＝７）≧Ｎｓ（＝７）の場合を示す。つまり、“Ｂ定”，“Ｃ定”キー４１Ｋも表示されている。
【００５８】
しかし、例えば、固定メニューキー（“Ａ４”…“Ｄ定食”）６１Ｋが、Ｎ（＝２）≧Ｎｓ（＝２）であったとしても、当該固定メニューキー６１Ｋが表示選択設定されていない（フラグ“０”）ので表示されない（ＳＴ１３のＮＯ）。
【００５９】
さらに、表示メニューキー４１の表示数が多くなった場合には、例えば図８に示すように表示される。この場合でも、各表示メニューキー４１Ｋの大きさ（平面的面積）は、当該各固定メニューキー６１Ｋの大きさ（平面的面積）に比較して大きい。迅速入力を担保するためである。
【００６０】
しかして、この実施形態によれば、メニューキーを固定メニューキー６１Ｋと表示メニューキー４１Ｋとから形成し、固定メニューキー６１Ｋ内の使用頻度の高い固定メニューキー６１Ｋを検出可能であるとともに使用頻度の高い固定メニューキー６１Ｋが検出された場合に当該固定メニューキー６１Ｋに対応しかつ当該固定メニューキー６１Ｋよりも平面的面積が大きい表示メニューキー４１Ｋを表示可能に形成されているので、使用頻度の高いメニューキーについて大きな表示メニューキーに切り替えられるから、オーダーの多いメニューを迅速かつ正確に入力することができる。すなわち、メニュー入力業務能率を向上できる。
【００６１】
また、使用頻度の高い固定メニューキー６１Ｋを検出する使用頻度検出手段（２１，２２）と，使用頻度の高い固定メニューキー６１Ｋに対応する表示メニューキー４１Ｋを表示操作部（４１Ｇ）に表示する表示制御手段（２１，２２）とを設け、入力頻度の多いオーダメニューについては表示操作部（４１Ｇ）に表示された独立的でかつ大きな表示メニューキー４１Ｋを用いて入力可能に形成されているので、使用頻度検出手段（２１，２２）の検出頻度（Ｎｓ）を設定変更すれば、例えば店内頻忙時でかつ特定のメニューが集中的にオーダーされる場合に、大きな表示メニューキーのみを用いてメニュー入力を行うことができる。すなわち、適応性が広くかつ取り扱いがより簡単である。
【００６２】
また、見開き可能な他方扉体１５（１５Ｉ）の固定操作部（６０）に押圧操作でメニュー入力可能な固定メニューキー６１Ｋを配設し、一方扉体１１（１１Ｉ）の表示操作部（４１Ｇ）に表示メニューキー４１Ｋを表示可能かつこの表示メニューキー４１Ｋのタッチ操作でメニュー入力可能なタッチパネル付き表示器４０を設けるとともに、一方扉体１１内に使用頻度検出手段（２１，２２）と表示制御手段（２１，２２）とを設けた構成であるから、左手で支えた一方扉体１１側の表示メニューキー４１Ｋを右手でタッチ操作しつつメニューを入力することができる。したがって、力学的に安定した状態で表示メニューキーのタッチ操作によるメニュー入力をより迅速かつ正確に行える。
【００６３】
また、メニューごとに表示制御手段（２１，２２）を働かせるか否かを選択設定可能に形成されているので、例外的に続けて入力された例えばビールについて表示メニューキー４１Ｋに切り替えられてしまう事態を回避できるから表示メニューキーの表示領域（４１Ｇ）を有効利用できるとともに、実際に即した運用ができる。
【００６４】
さらに、一方扉体１１が手持ち側とされているので、より一段と取扱い容易であるとともに、制御部２０やタッチパネル付き表示器４０の駆動制御回路４０Ｄ等を信号線の多いタッチパネル付き表示器４０に近接して配置できるから、性能を向上できかつコスト低減も図れる。
【００６５】
さらに、一方扉体１１の内面１１Ｉの定位置（５０）に、オーダーメニュー以外のデータを入力するためのものでかつ入力使用頻度の高い固定キー（置数キー，伝送キーＴ，エンターキーＥ，選択設定キーＳ，クリアキーＣ）５１Ｋが設けられているので、この固定キー５１Ｋを他方扉体１５側の固定メニューキー６１Ｋと隣接させて当該他方扉体１５側に設ける場合に比較して、固定キー５１Ｋの選択かつ押圧操作を正確・迅速に行え、しかも表示メニューキー４１Ｋとの識別も容易である。さらに、表示メニューキー４１Ｋをタッチ操作して実際に入力されたメニューに関連深いものを配置しておけるから、業務能率をより大幅に向上できかつ取扱いが一段と容易である。
【００６６】
さらにまた、他方扉体１５に、本体（１１，１５）を閉じた状態において、当該他方扉体１５の外面１５Ｏ側から一方扉体１１のタッチパネル付き表示器４０の定位置（４２）に表示された情報を目読可能な覗き窓１７が設けられているので、不使用状態における構成要素の保護を担保しつつタッチパネル付き表示器４０の表示面４１Ｇを有効利用できるとともに、品切れメニューや空きテーブル等に関する情報伝達機能を付加できる。
【００６７】
【発明の効果】
請求項１の発明によれば、使用頻度の高い固定メニューキーを検出する使用頻度検出手段と，使用頻度の高い固定メニューキーが検出された場合に当該固定メニューキーに対応する表示メニューキーを表示操作部に表示する表示制御手段とを設け、入力頻度の多いオーダメニューについては表示操作部に表示されかつ対応する固定メニューキーよりも平面的面積が大きな表示メニューキーを用いて入力可能に形成されたハンディターミナルであるから、使用頻度検出手段の検出頻度を設定変更すれば、例えば店内頻忙時でかつ特定のメニューが集中的にオーダーされる場合に、大きな表示メニューキーのみを用いてメニュー入力を行うことができる。すなわち、適応性が広くかつ取り扱いがより簡単である。
【００６８】
また、見開き可能な他方扉体の固定操作部に押圧操作でオーダーメニューを入力可能な固定メニューキーを配設し、一方扉体の表示操作部に表示メニューキーを表示可能かつこの表示メニューキーのタッチ操作でオーダーメニューを入力可能なタッチパネル付き表示器を設けるとともに、使用頻度検出手段と表示制御手段とを設け、入力頻度の多いオーダーメニューについては表示操作部に表示されかつ対応する固定メニューキーよりも平面的面積が大きな表示メニューキーを用いて入力可能に形成されているので、請求項１の発明の場合と同様な効果を奏することができることに加え、さらに力学的に安定した状態で表示メニューキーのタッチ操作によるメニュー入力をより迅速かつ正確に行える。
【００６９】
さらに、請求項２の発明によれば、メニューごとに表示制御手段を働かせるか否かを選択設定可能に形成されているので、請求項１の発明の場合と同様な効果を奏することができることに加え、さらに表示メニューキーの表示領域（表示操作部）を有効利用できるとともに実際に即した運用ができる。
【００７０】
また、請求項３の発明によれば、表示消滅選択要求により、表示メニューキーを消滅できる。
【図面の簡単な説明】
【図１】  本発明の実施形態に係る見開き状態を説明するための平面図である。
【図２】  同じく、閉じた状態で他方扉体の外面側から見た平面図である。
【図３】  同じく、全体構成を説明するためのブロック図である。
【図４】  同じく、対応キーテーブルを説明するための図である。
【図５】  同じく、動作を説明するためのフローチャート（１）である。
【図６】  同じく、動作を説明するためのフローチャート（２）である。
【図７】  同じく、表示メニューキーの表示形態例（１）を説明するための図である。
【図８】  同じく、表示メニューキーの表示形態例（２）を説明するための図である。
【図９】  本発明および従来例にかかるハンディターミナルを使用するオーダーデータ処理装置の１例を説明するための図である。
【図１０】  従来例（１）を説明するための図である。
【図１１】  従来例（２）を説明するための図である。
【符号の説明】
１０  ハンディターミナル
１１  一方扉体（本体）
１１Ｉ  内面
１１Ｏ  外面
１５  他方扉体（本体）
１５Ｉ  内面
１５Ｏ  外面
２０  制御部
２１  ＣＰＵ（使用頻度検出手段，表示制御手段）
２２  ＲＯＭ（使用頻度検出手段，表示制御手段）
２３  ＲＡＭ
２３ＫＴ  対応キーテーブル
２３ＭＴ  メニューテーブル
２３ＯＴ  オーダ−テーブル
４０  タッチパネル付き表示器
４１Ｇ  表示面（表示操作部）
４１Ｋ  表示メニューキー（メニューキー）
５０  固定キー部
５１Ｋ  固定キー（Ｓキー…選択手段）
６０  固定メニューキー部（固定操作部）
６１Ｋ  固定メニューキー（メニューキー）
【図１】
0003802228.tif 000002
【図２】
0003802228.tif 000003
【図３】
0003802228.tif 000004
【図４】
0003802228.tif 000005
【図５】
0003802228.tif 000006
【図６】
0003802228.tif 000007
【図７】
0003802228.tif 000008
【図８】
0003802228.tif 000009
【図９】
0003802228.tif 000010
【図１０】
0003802228.tif 000011
【図１１】
0003802228.tif 000012